(57)【特許請求の範囲】
【請求項１】
レンズ鏡筒に挿脱可能なホルダ本体を有し、該ホルダ本体の外部から回転操作可能な操作リングへの回転操作力をホルダ本体の内部に配置されたフィルタユニットに伝達して該フィルタユニットを回転させる差込フィルタホルダにおいて、
前記ホルダ本体に、該ホルダ本体の外部と内部を区画し、かつ、互いに平行な一対の隔壁を有する凹部を形成したこと；
前記ホルダ本体の外部の前記凹部内に前記操作リングを配置したこと；
前記ホルダ本体の内部に、前記操作リングと同軸に、前記ホルダ本体の外部から前記操作リングを回転操作したときに該操作リングと一体回転する連結ギヤを配置したこと；
前記ホルダ本体の内部に、前記連結ギヤと噛み合い、該連結ギヤの回転に伴って従動回転してその回転駆動力を伝達することにより前記フィルタユニットを回転させるアイドルギヤを配置したこと；
前記操作リング及び連結ギヤはそれぞれ、非円形軸穴部を有していること；
前記一対の隔壁に、前記操作リングの非円形軸穴部に嵌合する非円形嵌合軸部と、前記連結ギヤの非円形軸穴部に嵌合する非円形嵌合軸部を有する軸部材を挿通支持したこと；及び
前記操作リングの非円形軸穴部及び軸部材の対応する非円形嵌合軸部と、前記連結ギヤの非円形軸穴部及び軸部材の対応する非円形嵌合軸部とは、互いに異径であること；
を特徴とする差込フィルタホルダ。
【請求項２】
レンズ鏡筒に挿脱可能なホルダ本体を有し、該ホルダ本体の外部から回転操作可能な操作リングへの回転操作力をホルダ本体の内部に配置されたフィルタユニットに伝達して該フィルタユニットを回転させる差込フィルタホルダにおいて、
前記ホルダ本体に、該ホルダ本体の外部と内部を区画し、かつ、互いに平行な一対の隔壁を有する凹部を形成したこと；
前記ホルダ本体の外部の前記凹部内に前記操作リングを配置したこと；
前記ホルダ本体の内部に、前記操作リングと同軸に、前記フィルタユニットを連動回転させる連結ギヤを配置したこと；
前記操作リング及び連結ギヤはそれぞれ、非円形軸穴部を有していること；
前記一対の隔壁に、前記操作リングの非円形軸穴部に嵌合する非円形嵌合軸部と、前記連結ギヤの非円形軸穴部に嵌合する非円形嵌合軸部を有する軸部材を挿通支持したこと；及び
前記操作リングの非円形軸穴部及び軸部材の対応する非円形嵌合軸部と、前記連結ギヤの非円形軸穴部及び軸部材の対応する非円形嵌合軸部とは、互いに異径であること；
を特徴とする差込フィルタホルダ。
【請求項３】
請求項１または２記載の差込フィルタホルダにおいて、
前記一対の隔壁への前記軸部材の挿通部にＯリングが設けられている差込フィルタホルダ。
【発明の詳細な説明】
【技術分野】
【０００１】
本発明は、差込フィルタホルダに関する。
【背景技術】
【０００２】
従来、差込フィルタホルダとして、レンズ鏡筒に挿脱可能なホルダ本体を有し、このホルダ本体の外部から回転操作可能な操作リングへの回転操作力をホルダ本体の内部に配置されたフィルタユニットに伝達してフィルタユニット（例えばＣＰＬフィルタ）を回転させる構成のものがある。
【０００３】
このような差込フィルタホルダにおいて、ホルダ本体の外部から内部への粉塵や水の侵入を防ぐ防塵防滴構造として、ホルダ本体にその外部と内部を区画する凹部を形成し、ホルダ本体の外部の凹部内に操作リングを配置し、ホルダ本体の内部に、操作リングの回転をフィルタユニットに伝達する連結ギヤを配置したものが知られている（特許文献１）。
【先行技術文献】
【特許文献】
【０００４】
【特許文献１】特開２０００−２４９８８８号公報
【発明の概要】
【発明が解決しようとする課題】
【０００５】
しかし、この従来技術にあっては、操作リングと連結ギヤにそれぞれ設けられたギヤ部がホルダ本体の外部の凹部内で噛合している（ギヤ部の噛合面がホルダ本体の外部に露出している）ため、これらギヤ部の噛合面を通じて、ホルダ本体の外部から内部に粉塵や水が侵入することがあり、十分な防塵防滴機能が得られていない。
【０００６】
また、操作リングと連結ギヤのギヤ部の噛合面に粉塵が入ると、回転に不具合が生じ、フィルタユニットのスムーズな回転が妨げられる虞がある。
【０００７】
さらに、操作リングと連結ギヤにそれぞれギヤ部を設けてこれらを噛合させなければならず、操作リングと連結ギヤにそれぞれ軸部材を設けてホルダ本体に挿通支持しなければならないため、構造が複雑で、製造及び組付けが難しい。
【０００８】
本発明は、以上の問題意識に基づいてなされたものであり、高い防塵防滴機能を得るとともに、フィルタユニットをスムーズに回転させることができ、構造が簡素で、製造及び組付けが簡単な差込フィルタホルダを提供することを目的とする。
【課題を解決するための手段】
【０００９】
本発明は、操作リングと連結ギヤをホルダ本体の外部と内部に同軸上に配置して一体回転可能とすれば、操作リングと連結ギヤにそれぞれギヤ部を設けてこれらをホルダ本体の外部の凹部内で噛合させる必要がないため、ギヤ部の噛合面を通じて粉塵や水がホルダ内部に侵入することなく高い防塵防滴機能が得られ、ギヤ部の噛合面に粉塵が入らずフィルタユニットをスムーズに回転させることができ、また、構造を簡素化し、製造及び組付けを簡単化することができるとの着眼に基づいてなされたものである。
【００１０】
本発明の差込フィルタホルダは、レンズ鏡筒に挿脱可能なホルダ本体を有し、該ホルダ本体の外部から回転操作可能な操作リングへの回転操作力をホルダ本体の内部に配置されたフィルタユニットに伝達して該フィルタユニットを回転させる差込フィルタホルダにおいて、前記ホルダ本体に、該ホルダ本体の外部と内部を区画し、かつ、互いに平行な一対の隔壁を有する凹部を形成したこと；前記ホルダ本体の外部の前記凹部内に前記操作リングを配置したこと；前記ホルダ本体の内部に、前記操作リングと同軸に、前記ホルダ本体の外部から前記操作リングを回転操作したときに該操作リングと一体回転する連結ギヤを配置したこと；前記ホルダ本体の内部に、前記連結ギヤと噛み合い、該連結ギヤの回転に伴って従動回転してその回転駆動力を伝達することにより前記フィルタユニットを回転させるアイドルギヤを配置したこと；前記操作リング及び連結ギヤはそれぞれ、非円形軸穴部を有していること；前記一対の隔壁に、前記操作リングの非円形軸穴部に嵌合する非円形嵌合軸部と、前記連結ギヤの非円形軸穴部に嵌合する非円形嵌合軸部を有する軸部材を挿通支持したこと；及び前記操作リングの非円形軸穴部及び軸部材の対応する非円形嵌合軸部と、前記連結ギヤの非円形軸穴部及び軸部材の対応する非円形嵌合軸部とは、互いに異径であること；を特徴としている。
【００１４】
本発明の差込フィルタホルダは、別の態様では、レンズ鏡筒に挿脱可能なホルダ本体を有し、該ホルダ本体の外部から回転操作可能な操作リングへの回転操作力をホルダ本体の内部に配置されたフィルタユニットに伝達して該フィルタユニットを回転させる差込フィルタホルダにおいて、前記ホルダ本体に、該ホルダ本体の外部と内部を区画し、かつ、互いに平行な一対の隔壁を有する凹部を形成したこと；前記ホルダ本体の外部の前記凹部内に前記操作リングを配置したこと；前記ホルダ本体の内部に、前記操作リングと同軸に、前記フィルタユニットを連動回転させる連結ギヤを配置したこと；前記操作リング及び連結ギヤはそれぞれ、非円形軸穴部を有していること；前記一対の隔壁に、前記操作リングの非円形軸穴部に嵌合する非円形嵌合軸部と、前記連結ギヤの非円形軸穴部に嵌合する非円形嵌合軸部を有する軸部材を挿通支持したこと；及び前記操作リングの非円形軸穴部及び軸部材の対応する非円形嵌合軸部と、前記連結ギヤの非円形軸穴部及び軸部材の対応する非円形嵌合軸部とは、互いに異径であること；を特徴としている。
【００１５】
前記一対の隔壁への前記軸部材の挿通部にＯリングを設ければ、より高い防塵防滴効果を得ることができる。
【発明の効果】
【００１６】
本発明によれば、高い防塵防滴機能を得るとともに、フィルタユニットをスムーズに回転させることができ、構造が簡素で、製造及び組付けが簡単な差込フィルタホルダを提供することができる。
【図面の簡単な説明】
【００１７】
【図１】本発明の一実施の形態に係る差込フィルタホルダの分解斜視図である。
【図２】同断面図である。
【発明を実施するための形態】
【００１８】
図１及び図２は、本発明の一実施の形態に係る差込フィルタホルダ１を示している。差込フィルタホルダ１は、図２に鎖線で示す一眼レフカメラ用レンズ鏡筒Ｌの切欠部Ｓに挿脱可能なホルダ本体１０を有する。ホルダ本体１０は、レンズ鏡筒Ｌの外周面に沿う部分円筒形状の外装板１１と、レンズ鏡筒Ｌ内に挿入される挿入板部１２を有し、挿入板部１２には、レンズ鏡筒Ｌへの挿入状態で光束を通す開口（光束透過開口）１２Ａが形成されている。符号Ｏは、レンズ鏡筒Ｌの撮影光軸（光束透過開口１２Ａの中心）を示している。外装板１１とレンズ鏡筒Ｌ（切欠部Ｓ）との間の液密は、図示しない液密手段によって保持される。
【００１９】
ホルダ本体１０には、その外装板１１に開口して、ホルダ本体１０の外部（ホルダ外部）とホルダ本体１０の内部（ホルダ内部）を区画する凹部１３が形成されている。凹部１３は、光軸Ｏに直交する互いに平行な一対の隔壁１４Ａ、１４Ｂを有しており、この一対の隔壁１４Ａ、１４Ｂに、光軸Ｏと平行な一対の貫通穴１５Ａ、１５Ｂが同軸上に形成されている。
【００２０】
ホルダ外部の凹部１３内には、操作リング２０が配置されており、凹部１３で区画されたホルダ内部には、操作リング２０と同軸の駆動ギヤ（連結ギヤ）３０が配置されている。この操作リング２０と駆動ギヤ３０はそれぞれ、大径小判型軸穴部（大径非円形軸穴部）２１と小径小判型軸穴部（小径非円形軸穴部）３１を有しており、一対の貫通穴１５Ａ、１５Ｂに挿通された軸部材４０によって同軸に支持されている。
【００２１】
すなわち、軸部材４０は、操作リング２０の大径小判型軸穴部２１と嵌合する大径小判型段部（大径非円形段部、大径非円形嵌合軸部）４１と、駆動ギヤ３０の小径小判型軸穴部（小径非円形軸穴部）３１と嵌合する小径小判型段部（小径非円形段部、小径非円形嵌合軸部）４２を有している。軸部材４０はまた、その一端部に、隔壁１４Ａのホルダ内部に位置する外方フランジ部４０Ｆを有し、他端部の軸部にビス穴４３を有している。
【００２２】
一対の隔壁１４Ａ、１４Ｂには、一対の貫通穴１５Ａ、１５Ｂの内側端部に同軸に環状段部１６Ａ、１６Ｂが形成されており、この環状段部１６Ａ、１６ＢにＯリング（環状パッキン）１７Ａ、１７Ｂが設けられている。
【００２３】
軸部材４０は、一対の貫通穴１５Ａ、１５Ｂ（Ｏリング１７Ａ、１７Ｂ）に挿通され、その大径小判型段部４１と小径小判型段部４２をそれぞれ、操作リング２０の大径小判型軸穴部２１と駆動ギヤ３０の小径小判型軸穴部３１に嵌合させた状態で、ビス穴４３にビス４４が締め付けられる。その結果、隔壁１４Ａ、１４Ｂの内側に位置する大径フランジ部４０Ｆとビス４４により、操作リング２０と駆動ギヤ３０の軸方向（スラスト方向）位置と回転方向（ラジアル方向）位置が規定される。同時に、Ｏリング１７Ａ、１７Ｂにより、一対の貫通穴１５Ａ、１５Ｂと軸部材４０の隙間が封止され、凹部１３で区画されたホルダ外部とホルダ内部が液密に遮断される。従って、ホルダ外部から操作リング２０を回転操作すると、操作リング２０、駆動ギヤ３０及び軸部材４０が一体回転する。
【００２４】
一方、挿入板部１２には、ホルダ（凹部１３）内部に位置するアイドルギヤ５０、フィルタギヤ（従属ギヤ）６０、フィルタ取付環７０及びフィルタユニット８０が支持されている。
【００２５】
アイドルギヤ５０は、そのギヤ部５１が駆動ギヤ３０のギヤ部３２とフィルタギヤ６０のギヤ部６１に同時に噛み合うもので、その内周面５２が挿入板部１２の円形軸部１８に回転可能に嵌められ、円形軸部１８のビス穴１８Ａにワッシャ５３を介在させてビス５４を締め付けることにより、軸方向位置と回転方向位置が規定されている。
【００２６】
フィルタギヤ６０、フィルタ取付環７０及びフィルタユニット８０は、挿入板部１２の光束透過開口１２Ａに同軸に支持されている。フィルタギヤ６０の内周面６２には、フィルタ取付環７０の嵌合筒部７１の外周面７１Ａが相対回転不能にねじ込み固定されており、嵌合筒部７１の内周面７１Ｂには、フィルタユニット８０が相対回転不能にねじ込み固定されている。これにより、フィルタギヤ６０が回転すると、フィルタギヤ６０、フィルタ取付環７０及びフィルタユニット８０が一体回転する。フィルタ取付環７０は、その光軸直交面７２がホルダ本体１０の光束透過開口１２Ａの周囲に形成された環状フランジ部１２Ｂに当接しており、一体回転するフィルタギヤ６０、フィルタ取付環７０及びフィルタユニット８０の軸方向位置が規定（スラスト規制）されている。フィルタユニット８０は、被写体からの不要な反射光をカットするＣＰＬフィルタ（円偏光フィルタ）８１を保持している。フィルタユニット８０はフィルタ取付環７０に対して着脱可能であり、撮影状況に応じて所望のフィルタユニット８０を交換して使用することができる。
【００２７】
以上の構成の差込フィルタホルダ１を使用して撮影を行う場合、まず撮影状況に応じた所望のフィルタユニット８０をフィルタ取付環７０にねじ込み固定して、差込フィルタホルダ１をレンズ鏡筒Ｌの切欠部Ｓに挿入する。この挿入状態で、挿入板部１２の光束透過開口１２Ａの中心がレンズ鏡筒Ｌの撮影光軸Ｏに一致する。次いで、撮影者がカメラのファインダを覗きながらホルダ外部から操作リング２０を回転操作すると、その回転操作力が軸部材４０から駆動ギヤ３０、アイドルギヤ５０、フィルタギヤ６０と順次伝達され、フィルタ取付環７０及びフィルタユニット８０がフィルタギヤ６０と一体回転する。このようにしてフィルタユニット８０を回転させＣＰＬフィルタ８１の効果を調整したら、撮影者は操作リング２０の回転操作を止めて撮影を行う。
【００２８】
本実施形態では、ホルダ本体１０に、ホルダ本体１０の外部と内部を区画する凹部１３を形成し、ホルダ本体１０の外部の凹部１３内に操作リング２０を配置し、ホルダ本体１０の内部に、操作リング２０と同軸に、フィルタユニット８０を連動回転させる駆動ギヤ（連結ギヤ）３０を配置している。したがって、上述した従来技術のように、操作リングと連結ギヤにそれぞれギヤ部を設けてこれらをホルダ本体の外部の凹部内で噛合させる必要がないため、ギヤ部の噛合面を通じて粉塵や水がホルダ内部に侵入することなく高い防塵防滴機能が得られる。また、Ｏリング１７Ａ、１７Ｂにより軸部材４０と一対の貫通穴１５Ａ、１５Ｂの隙間が封止され、凹部１３で区画されたホルダ本体１０の外部と内部が液密に遮断されるので、その防塵防滴機能は極めて高い。
【００２９】
また、上述した従来技術のように、操作リングと連結ギヤのギヤ部の噛合面に粉塵が入って回転に不具合が生じフィルタユニットのスムーズな回転が妨げられることはなく、操作リング２０に与えられた回転操作力がフィルタユニット８０に伝達されフィルタユニット８０をスムーズに回転させることができる。
【００３０】
さらに、操作リング２０の大径小判型軸穴部２１に軸部材４０の大径小判型段部４１を嵌合させ、駆動ギヤ３０の小径小判型軸穴部３１に軸部材４０の小径小判型段部４２を嵌合させて、凹部１３の互いに平行な一対の隔壁１４Ａ、１４Ｂに軸部材４０を挿通支持するだけなので、構造が簡素で、製造及び組付けが簡単である。
【００３１】
図示していないが、凹部１３の底部にホルダ本体１０の外部まで連通する穴を形成すれば、ホルダ本体１０の内部に侵入できず凹部１３に溜まる水を速やかにホルダ本体１０の外部に抜くことができて好適である。
【００３２】
大径小判型軸穴部２１、小径小判型軸穴部３１、大径小判型段部４１及び小径小判型段部４２は小判型形状に限定されず、その他の非円形形状であっても、操作リング２０、駆動ギヤ３０及び軸部材４０を操作リング２０の回転操作に伴って一体回転させることができる。
【００３３】
小判型軸穴部２１（小判型段部４１）及び小判型軸穴部３１（小判型段部４２）の径の大小関係には自由度があり、小判型軸穴部２１（小判型段部４１）を小判型軸穴部３１（小判型段部４２）より小径としてもよいし、両者を略同一径としてもよい。
【００３４】
また、アイドルギヤ５０を省略して駆動ギヤ３０を直接フィルタギヤ６０に噛み合わせる構成とすることも可能である。
【符号の説明】
【００３５】
１  差込フィルタホルダ
１０  ホルダ本体
１１  外装板
１２  挿入板部
１２Ａ  光束透過開口
１２Ｂ  環状フランジ部
１３  凹部
１４Ａ、１４Ｂ  一対の隔壁
１５Ａ、１５Ｂ  一対の貫通穴
１６Ａ、１６Ｂ  環状段部
１７Ａ、１７Ｂ  Ｏリング（環状パッキン）
１８  円形軸部
１８Ａ  ビス穴
２０  操作リング
２１  大径小判型軸穴部（大径非円形軸穴部）
３０  駆動ギヤ（連結ギヤ）
３１  小径小判型軸穴部（小径非円形軸穴部）
３２  ギヤ部
４０  軸部材
４０Ｆ  外方フランジ
４１  大径小判型段部（大径非円形段部、大径非円形嵌合軸部）
４２  小径小判型段部（小径非円形段部、小径非円形嵌合軸部）
４３  ビス穴
４４  ビス
５０  アイドルギヤ
５１  ギヤ部
５２  内周面
５３  ワッシャ
５４  ビス
６０  フィルタギヤ（従属ギヤ）
６１  ギヤ部
６２  内周面
７０  フィルタ取付環
７１  嵌合筒部
７１Ａ  外周面
７１Ｂ  内周面
７２  光軸直交面
８０  フィルタユニット
８１  ＣＰＬフィルタ（円偏光フィルタ）
Ｌ  レンズ鏡筒
Ｓ  切欠部
【図１】
0005573164.tif 000002
【図２】
0005573164.tif 000003